(57)【特許請求の範囲】
【請求項１】
戸袋内に引き入れられる引込戸に設けられるポップアップ用部品と、
前記引込戸以外のものに固定される被押圧部材と、を有し、
前記引込戸が前記戸袋内に引き入れられた開状態において、
前記ポップアップ用部品が前記被押圧部材に接触し得る構成とするとともに、
前記開状態において前記引込戸を前記戸袋内にさらに押し込む操作がなされた際に、
前記ポップアップ用部品が前記被押圧部材に押し返されることで、前記引込戸が前記戸袋内から押し出される構成とするものであって、
前記ポップアップ用部品は、前記引込戸が前記戸袋から引き出された状態にあるときに、前記戸袋の外の位置にあるように配置される、
引込戸のポップアップ機構。
【請求項２】
前記被押圧部材は、
前記引込戸の被ガイド部をガイドする機能を兼ね備える、
ことを特徴とする請求項１に記載の引込戸のポップアップ機構。
【請求項３】
前記引込戸の前記被ガイド部は、
前記引込戸の底部において前記引込戸の幅方向に形成され、その下側が開放されるガイド溝として構成され、
前記ポップアップ用部品は、前記ガイド溝内に納められ、
前記被押圧部材は、前記ガイド溝に下側から挿入されるガイドピンを有する、
ことを特徴とする請求項２に記載の引込戸のポップアップ機構。
【請求項４】
前記被押圧部材は、床面側に設置され、
前記ポップアップ用部品は、引込戸の下部に設置される、
ことを特徴とする請求項１乃至請求項３に記載の引込戸のポップアップ機構。
【請求項５】
前記引込戸の前記被ガイド部は、
前記引込戸の上部において前記引込戸の幅方向に形成され、その上側が開放されるガイド溝として構成され、
前記ポップアップ用部品は、前記ガイド溝内に納められ、
前記被押圧部材は、前記ガイド溝に上側から挿入されるガイドピンを有する、
ことを特徴とする請求項２に記載の引込戸のポップアップ機構。
【請求項６】
前記被押圧部材は、天井側に設置され、
前記ポップアップ用部品は、引込戸の上部に設置される、
ことを特徴とする請求項１、請求項２、又は請求項５のいずれか一項に記載の引込戸のポップアップ機構。
【請求項７】
前記ポップアップ用部品は、引込戸の前端部に設けられ、
前記引込戸の前端面側から着脱可能な位置に設けられる、
ことを特徴とする請求項１乃至請求項６のいずれか一項に記載の引込戸のポップアップ機構。
【請求項８】
前記ポップアップ用部品は、
前記引込戸に固定されるベース部材と、
前記ベース部材に対し移動可能に設けられる可動部材と、
前記可動部材を一側移動方向に付勢する弾性部材と、
前記被押圧部材に対する可動部材の一時的な固着を可能とする一時固着手段と、
を有する、
ことを特徴とする請求項１乃至請求項７のいずれか一項に記載の引込戸のポップアップ機構。
【請求項９】
ベース部材と、
前記ベース部材に対し移動可能に設けられる可動部材と、
前記可動部材を一側移動方向に付勢する弾性部材と、
を有し、
前記ベース部材は、引込戸が戸袋から引き出された状態にあるときに、前記戸袋の外の位置にあるように配置され得るように構成される、
引込戸用のポップアップ用部品。
【請求項１０】
ポップアップ操作がされる際に、前記可動部材を押し返すための被押圧部材に対する一時的な固着を可能とする一時固着手段を、さらに有する、
ことを特徴とする請求項９に記載の引込戸用のポップアップ用部品。
【発明の詳細な説明】
【技術分野】
【０００１】
本発明は、壁体内などに形成される戸袋に対し、引き込み、引き出しがされる形態の引込戸に関するものである。
【背景技術】
【０００２】
従来、壁体内や壁間に形成される戸袋に引き入れられる引込戸に関し、戸袋に引き入れられた引込戸の前側端面を押圧することで、引込戸の前端部を戸袋から飛び出させる構造が知られている。本明細書では、このように引込戸の前端部が飛び出す機構をポップアップ機構と称することとする。
【０００３】
特許文献１では、引込戸の先端部を押し込むと、引込戸の奥側端面に設けられた弾性部材が戸袋（収納部）の内部の戸当り面に当接して圧縮し、その圧縮が弾性復帰することで引込戸の前端部が飛び出る構成について開示している。
【０００４】
また、特許文献２では、引込戸の先端部を押し込むと、戸袋内の奥側に備えた押し出し機構のばねが圧縮し、その圧縮が弾性復帰することで引込戸の前端部が飛び出る構成について開示している。
【先行技術文献】
【特許文献】
【０００５】
【特許文献１】特許第３３４００３０号明細書
【特許文献２】特開平１０−２６６７１３号公報
【発明の概要】
【発明が解決しようとする課題】
【０００６】
しかし、特許文献１に開示される技術では、弾性部材の交換などのメンテナンスを行う場合には、引込戸を戸袋から取り外す必要があり、交換作業に手間がかかるものとなる。また、引込戸の取り外しを行うには、まずは、引込戸の前端側に設けた長尺の把手部材を取り外す必要があって、この作業も手間となる。さらには、復旧作業ではこの把手部材の取り付けが必要となる。
【０００７】
また、特許文献１の構成において、把手部材は扉部材と別体であることから、戸部材の高さ寸法に合わせた把手部材を作製する必要があり、引込戸全体としての製造コストが嵩んでしまうことが懸念される。また、把手部材の寸法合わせのための切断作業を施工現場で行う場合には、施工手間が生じることになってしまう。これは、戸部材の高さ寸法に把手部材の寸法を合わせる必要から生じるものであり、把手部材に汎用性がないことに起因する問題といえる。
【０００８】
一方、特許文献２では、押し出し機構のメンテナンスに関する内容は記載がされていないが、仮にメンテナンスをするのであれば、戸袋を形成する壁の取り外しといった大掛かりな作業が発生するものと考えられる。
【０００９】
以上のように、従来技術で開示される技術によってポップアップ機構を実現する場合には、そのメンテナンス性や、部品の汎用性について課題が残るのである。
【００１０】
他方、図９（ａ）（ｂ）の例に示すごとく、戸袋が形成される袖壁９１に引込戸９０を引き入れて収納する形態では、引込戸９０は戸袋内に収められるため、袖壁９１の両側にゴミ箱９２などの物を壁付けで置くことや、壁掛収納９３などの物を壁掛設置することや、或いは、洗面化粧台９４などの住宅設備を壁付けで設置できるなど、その袖壁９１の周囲の空間設計の自由度が高いものとなる。
【００１１】
これに対し、図９（ｃ）（ｄ）に示すごとく、戸袋を設けないで引戸を設置する形態では、袖壁９５の片側に形成される開放箇所９６に引戸９７を移動させることから、開放箇所９６の近くに物が置けない、開放箇所９６に物を壁掛けできない、住宅設備を開放箇所９６から離して設置しなければならない、などということとなり、空間設計の自由度が低いものとなる。
【００１２】
このように、戸袋に引込戸が収容される形態を採用することは、空間設計においてメリットを有するものである。しかしながら、上述したポップアップ機構のメンテナンス性の問題を理由に、採用を見送らざるを得ない事態が生じることが懸念される。即ち、メンテナンス性に乏しいことが理由で、設計者側では引込戸を使用した設計プランの提案を控える、或いは、施主側では引込戸を使用した設計プランの採用を控える、ということになってしまうのである。
【００１３】
そこで、本発明は、以上の問題点に鑑み、メンテナンス性に優れるなどの新規な構成のポップアップ機構を提案するものである。
【課題を解決するための手段】
【００１４】
本発明の解決しようとする課題は以上の如くであり、次にこの課題を解決するための手段を説明する。
【００１５】
即ち、請求項１に記載のごとく、
戸袋内に引き入れられる引込戸に設けられるポップアップ用部品と、
前記引込戸以外のものに固定される被押圧部材と、を有し、
前記引込戸が前記戸袋内に引き入れられた開状態において、
前記ポップアップ用部品が前記被押圧部材に接触し得る構成とするとともに、
前記開状態において前記引込戸を前記戸袋内にさらに押し込む操作がなされた際に、
前記ポップアップ用部品が前記被押圧部材に押し返されることで、前記引込戸が前記戸袋内から押し出される構成とするものであって、
前記ポップアップ用部品は、前記引込戸が前記戸袋から引き出された状態にあるときに、前記戸袋の外の位置にあるように配置される、
引込戸のポップアップ機構、とするものである。
【００１６】
また、請求項２に記載のごとく、
前記被押圧部材は、
前記引込戸の被ガイド部をガイドする機能を兼ね備える、
こととするものである。
【００１７】
また、請求項３に記載のごとく、
前記引込戸の前記被ガイド部は、前記引込戸の底部において前記引込戸の幅方向に形成され、その下側が開放されるガイド溝として構成され、前記ポップアップ用部品は、前記ガイド溝内に納められ、前記被押圧部材は、前記ガイド溝に下側から挿入されるガイドピンを有する、こととするものである。
【００１８】
また、請求項４に記載のごとく、前記被押圧部材は、床面側に設置され、前記ポップアップ用部品は、引込戸の下部に設置される、こととするものである。
【００１９】
また、請求項５に記載のごとく、
前記引込戸の前記被ガイド部は、前記引込戸の上部において前記引込戸の幅方向に形成され、その上側が開放されるガイド溝として構成され、前記ポップアップ用部品は、前記ガイド溝内に納められ、前記被押圧部材は、前記ガイド溝に上側から挿入されるガイドピンを有する、こととするものである。
【００２０】
また、請求項６に記載のごとく、前記被押圧部材は、天井側に設置され、前記ポップアップ用部品は、引込戸の上部に設置される、こととするものである。
【００２１】
また、請求項７に記載のごとく、
前記ポップアップ用部品は、引込戸の前端部に設けられ、
前記引込戸の前端面側から着脱可能な位置に設けられる、
こととするものである。
【００２２】
また、請求項８に記載のごとく、
前記ポップアップ用部品は、
前記引込戸に固定されるベース部材と、
前記ベース部材に対し移動可能に設けられる可動部材と、
前記可動部材を一側移動方向に付勢する弾性部材と、
前記被押圧部材に対する可動部材の一時的な固着を可能とする一時固着手段と、
を有する構成とするものである。
【００２６】
また、請求項９に記載のごとく、引込戸に固定されるベース部材と、前記ベース部材に対し移動可能に設けられる可動部材と、前記可動部材を一側移動方向に付勢する弾性部材と、を有し、前記ベース部材は、引込戸が戸袋から引き出された状態にあるときに、前記戸袋の外の位置にあるように配置され得るように構成される、引込戸用のポップアップ用部品とするものである。
【００２７】
また、請求項１０に記載のごとく、ポップアップ操作がされる際に、前記可動部材を押し返すための被押圧部材に対する一時的な固着を可能とする一時固着手段を、さらに有する、ポップアップ用部品とするものである。
【発明の効果】
【００２８】
本発明の効果として、以下に示すような効果を奏する。
【００２９】
即ち、請求項１に記載の発明においては、
戸袋の外において、ポップアップ用部品の取り外しや、取り付けの作業が可能となり、メンテナンス性に優れたポップアップ機構を実現することが可能となる。また、ポップアップ用部品を汎用品として利用することができ、ポップアップ機構を実現する際における製造コストの低減も図ることが可能となる。
【００３０】
また、請求項２に記載の発明においては、
ポップアップ機構の実現において、部品点数を削減することが可能となる。
【００３１】
また、請求項３に記載の発明においては、
ポップアップ用部品が引込戸内に隠されて、ポップアップ用部品が目立つことによって引込戸の外観意匠の美観が損なわれることを回避できる。
【００３２】
また、請求項４に記載の発明においては、引込戸を吊り下げてスライド移動可能とする設置形態について、本発明を適用することが可能となる。
【００３３】
また、請求項５に記載の発明においては、ポップアップ用部品が引込戸内に隠されて、ポップアップ用部品が目立つことによって引込戸の外観意匠の美観が損なわれることを回避できる。
【００３４】
また、請求項６に記載の発明においては、引込戸の下部に戸車を設けてスライド移動可能とする設置形態について、本発明を適用することが可能となる。
【００３５】
また、請求項７に記載の発明においては、
ガイド溝にポップアップ用部品が納められる形態において、ポップアップ用部品の交換が容易に行うことが可能となる。
【００３６】
また、請求項８に記載の発明においては、
引込戸が開かれた状態を維持することが可能となり、引込戸が意図せずに閉まってしまうことを防ぐことができる。
【００４０】
また、請求項９に記載の発明においては、引込戸に対して汎用性の広いポップアップ用部品を実現することが可能となる。
【００４１】
また、請求項１０に記載の発明においては、引込戸が開かれた状態を維持することが可能となり、引込戸が意図せずに閉まってしまうことを防ぐことができる。
【図面の簡単な説明】
【００４２】
【図１】（ａ）はポップアップ操作について説明する図。（ｂ）はポップアップ動作について説明する図。
【図２】戸袋と引戸の配置について示す水平断面図。
【図３】（ａ）はポップアップ用部品の設置状態について説明する図。（ｂ）はポップアップ操作がされた際の弾性復帰力について示す図。
【図４】図３のＡ−Ａ線断面図。
【図５】（ａ）はポップアップ用部品の斜視図。（ｂ）はポップアップ用部品の他の斜視図。
【図６】ポップアップ用部品の他の配置例について示す図。
【図７】実施例２におけるポップアップ用部品の配置について示す図。
【図８】実施例２におけるポップアップ用部品の他の配置の例について示す図。
【図９】（ａ）は引込戸を閉じた状態について示す図。（ｂ）は引込戸を開いた状態について示す図。（ｃ）は戸袋がない構成において引戸を閉じた状態について示す図。（ｄ）は戸袋がない構成において引戸を開いた状態について示す図。
【発明を実施するための形態】
【００４３】
次に、発明の実施の形態について、実施例を用いて説明する。
【実施例１】
【００４４】
図１（ａ）（ｂ）及び図２に示すごとく、ポップアップ機構１は、戸袋２内に引き入れられる引込戸３の前端部３ａに設けられるポップアップ用部品１０と、前記引込戸３以外のもの（本実施例１では、床面６における戸袋２内の位置）に固定される被押圧部材２０と、を有し、前記引込戸３が前記戸袋２内に引き入れられた開状態において、前記ポップアップ用部品１０が前記被押圧部材２０に接触し得る構成とするとともに、前記開状態において前記引込戸３を前記戸袋２内にさらに押し込む操作がなされた際に、前記ポップアップ用部品１０が前記被押圧部材２０に押し返されることで、前記引込戸３の前端部３ａが前記戸袋２内から押し出される構成とするものであって、前記ポップアップ用部品１０は、前記引込戸３が戸袋２から引き出された状態にあるときに、前記戸袋２の外の位置にあるように配置される、こととしている。
【００４５】
このように、本実施例では、図１（ａ）（ｂ）に示すごとく、人の指８などによるポップアップ操作（引込戸３の開状態において引込戸３を前記戸袋２内にさらに押し込む操作）をした際に、引込戸３がポップアップ動作（引込戸３の前端部３ａが前記戸袋２内から押し出される）する構成とするものである。そして、図１（ｂ）に示すごとく、引込戸３がポップアップ動作することによって、引込戸３の引き手３Ａが現れ、この引き手３Ａを使用して引込戸３をスライド移動させることが可能となるものである。
【００４６】
以下詳細に説明すると、図２に示すごとく、二枚の袖壁４・４が幅Ｗの間隔を開けて対向して配置され、袖壁４・４の間の空間に戸袋２が形成される。戸袋２の一端側は開放されて戸袋開口部２ａが形成されており、この戸袋開口部２ａを通して引込戸３がスライド移動するようになっている。また、戸袋２において、戸袋開口部２ａと反対側となる奥側部２ｂには、ストッパー材２ｃが設置されており、このストッパー材２ｃの位置から戸袋開口部２ａまでの距離が、戸袋２の奥行幅Ｌ２として規定される。
【００４７】
また、図２に示すごとく、本実施例のように、引込戸３が戸袋２内に完全に引き込まれる設計とする場合には、戸袋２の奥行幅Ｌ２は、引込戸３の幅Ｌ３と、後述するポップアップ用部品１０の可動部材１２（図３）の押し込み代Ｌ１２を加えた大きさを考慮して設定される。
【００４８】
また、図２に示す例では、引込戸３は、その全体が戸袋２内に引き入れられた状態で納まり得ることとしており、引込戸３の全体が戸袋２内に引き入れられた状態において、ポップアップ用部品１０が被押圧部材２０に接触するようになっている。そして、ポップアップ用部品１０が被押圧部材２０に接触した状態において、引込戸３のさらなる押し込みを許容するための隙間Ｓが、引込戸３の奥側（本実施例では、ストッパー材２ｃと引込戸３の奥側端面３ｋの間）に形成されることとしている。
【００４９】
この構成によって、引込戸３を戸袋２内に完全に納めることが可能となって、広い開口部を形成することが可能となる。なお、この場合の隙間Ｓの幅Ｌｓは、押し込み代Ｌ１２以上に設定されることとなる。
【００５０】
また、図２に示すごとく、戸袋２の奥行幅Ｌ２に関し、奥行幅Ｌ２の大きさが、引込戸３の幅Ｌ３と押し込み代Ｌ１２と略同一に設定されるようにストッパー材２ｃを配置することによれば、引込戸３が過剰に押し込まれた場合において、ストッパー材２ｃにて引込戸３を受け止めることで、ポップアップ用部品１０や被押圧部材２０に荷重が集中することを防止することができ、ポップアップ用部品１０や被押圧部材２０の使用年数の長期化や、破損の防止を図ることが可能となる。
【００５１】
また、図２に示すごとく、引込戸３は一枚の板状の戸体として構成されるものであって、戸袋２に引き入れられた状態において、戸袋２の奥側部２ｂに位置する側を奥端部３ｂとし、この奥端部３ｂ側の端面が奥側端面３ｋとして構成される。また、引込戸３において、奥端部３ｂと反対側の部位を前端部３ａとし、この前端部３ａ側の引込戸３の端面が前側端面３ｊとして構成される。
【００５２】
また、図１（ａ）に示すごとく、引込戸３の上方には鴨居５が掛け渡されており、この鴨居５に設けられるガイドレールに対して、引込戸３がスライド移動可能に吊り下げられる。また、引込戸３の下方において、戸袋２内に位置する床面６には、被押圧部材２０が設置されており、この被押圧部材２０に対して、引込戸３がガイドされつつスライド移動可能となるように、図３（ａ）に示すごとく、引込戸３の底部における幅方向には、その下側が開放されるガイド溝３ｇが設けられる。
【００５３】
また、図３（ａ）（ｂ）に示すごとく、被押圧部材２０は、床面６に固定するための固定板部２１と、固定板部２１から立設されるガイドピン２２とを有しており、ガイドピン２２が引込戸３のガイド溝３ｇに挿入されることで、引込戸３がスライド移動する際に、引込戸３の下部の揺れ動きが抑えられるようになっている。
【００５４】
また、図３（ａ）（ｂ）に示すごとく、ガイドピン２２は、戸袋２が全開状態の際に、ポップアップ用部品１０の可動部材１２が当接し得る位置に配置されている。本実施例では、ポップアップ用部品１０が戸袋２の前端部３ａに配置されるため、戸袋開口部２ａの近傍の位置にガイドピン２２が配置されることとしている。
【００５５】
また、図３（ａ）（ｂ）及び図４に示すごとく、引込戸３の底部に形成されるガイド溝３ｇの溝幅は、ガイドピン２２が挿入された状態で引込戸３のスライド移動が可能な大きさに設定される。また、引込戸３の前側端面３ｊの下部には、キャップ部材７が取り付けられ、このキャップ部材７によってガイド溝３ｇの前端部が閉じられる。
【００５６】
また、図３（ａ）（ｂ）及び図４に示すごとく、引込戸３の前端部３ａの下部には、ポップアップ用部品１０が設けられている。本実施例では、このポップアップ用部品１０は、引込戸３の底部に形設されるガイド溝３ｇ内に納められることで、引込戸３内に隠されて、ポップアップ用部品１０が目立つことによって引込戸３の外観意匠の美観が損なわれることを回避できるようになっている。
【００５７】
また、図３（ａ）（ｂ）及び図４に示すごとく、引込戸３は、新設のものだけではなく、既設のものである場合にも、その引込戸３にガイド溝３ｇが形設されていて、被押圧部材２０にてガイド溝３ｇが案内されるものであれば、ポップアップ用部品１０をガイド溝３ｇ内へ設置する形態とすることにより、後付けにてポップアップ用部品１０を適用することが可能となる。
【００５８】
また、図３（ａ）（ｂ）に示すごとく、ポップアップ用部品１０は、引込戸３の前端部３ａ側に設けられることで、既設の引込戸３についてのガイド溝３ｇへの後付での設置や、キャップ部材７を取り外すことによる交換が可能となっている。なお、ポップアップ用部品１０の交換は、例えば、経年によって弾性部材１３の弾性復帰力Ｆ（図３（ｂ））が減衰した場合が考えられる。
【００５９】
また、図３（ａ）（ｂ）及び図５（ａ）（ｂ）に示すごとく、ポップアップ用部品１０は、引込戸３のガイド溝３ｇ内に固定されるベース部材１１と、ベース部材１１に対し移動可能に設けられる可動部材１２と、可動部材１２を一側移動方向に付勢する弾性部材１３と、を有する構成としており、前記可動部材１２が前記被押圧部材２０のガイドピン２２を押圧した際に、前記弾性部材１３に生じる弾性復帰力Ｆがベース部材１１に作用する構成としている。
【００６０】
また、図３（ａ）（ｂ）及び図５（ａ）（ｂ）に示すごとく、ベース部材１１には、可動部材１２の一部を突出させつつ進退可能に収容するブロック状のケース部１１ａが設けられる。このケース部１１ａにおいて、図４に示すごとく、可動部材１２の突出方向と直交する断面の輪郭形状は、ガイド溝３ｇの溝形状と略同一としており、本実施例では、上辺が底辺よりも短い略台形状に構成されることで、ガイド溝３ｇに対しケース部１１ａが嵌め込まれ、これによりポップアップ用部品１０が全体として引込戸３に対して嵌着固定されるようになっている。
【００６１】
なお、ポップアップ用部品１０の引込戸３に対する固定の形態は、引込戸３全体を鴨居５（図１参照）などから取り外さずにポップアップ用部品１０の交換が可能となるものであればよく、特に限定されるものではない。また、本実施例のように、ポップアップ用部品１０をガイド溝３ｇに嵌着する形態とする他、キャップ部材７を介してポップアップ用部品１０が引込戸３に固定される形態などとしてもよい。
【００６２】
また、図３（ａ）（ｂ）及び図５（ａ）（ｂ）に示すごとく、ベース部材１１には、ケース部１１ａの上部において可動部材１２の突出方向に延出される延出部１１ｂが設けられる。この延出部１１ｂは、引込戸３の内側方向に延出される向きでガイド溝３ｇの上部に形設された凹部３ｚに納められる。また、延出部１１ｂの上面１１ｃは、ガイド溝３ｇの凹部３ｚの天面３ｕに接触する構成としており、ベース部材１１に作用する荷重が、凹部３ｚの天面３ｕによって受け止められるようになっている。また、本実施例では、延出部１１ｂの突出長さをケース部１１ａの長さの約２倍とすることで、延出部１１ｂと天面３ｕの接触面積を広く確保し、ベース部材１１に作用する荷重を分散させることで、ベース部材１１の破損が抑えられる構成としている。
【００６３】
また、図３（ａ）（ｂ）及び図５（ａ）（ｂ）に示すごとく、ベース部材１１のケース部１１ａの上部には、上方に突出する突出部１１ｄが形成されており、この突出部１１ｄがガイド溝３ｇの端部に形設される凹部壁面３ｖに当接した位置において、ベース部材１１がガイド溝３ｇに嵌着固定されることで、ベース部材１１が所定の位置に固定され得るようになっている。
【００６４】
また、図３（ａ）及び図４に示すごとく、可動部材１２は、直方体状の磁石部材１２ａと、磁石部材１２ａを取り囲むカバー部材１２ｂにて構成されている。また、カバー部材１２ｂの外側面には凸部１２ｆ・１２ｆが形成され、ケース部１１ａの内側面には所定の溝長さの横溝部１１ｆ・１１ｆが形成され、凸部１２ｆ・１２ｆが横溝部１１ｆ・１１ｆに移動可能に挿入される。このようにして、可動部材１２のベース部材１１に対する移動範囲が、横溝部１１ｆ・１１ｆの溝長さによって制限されるようになっている。
【００６５】
また、図５（ａ）（ｂ）に示すごとく、ベース部材１１のケース部１１ａにおいて、延出部１１ｂ側の壁面１１ｍには開口部１１ｅが形成されており、この開口部１１ｅから可動部材１２の一端が突出される。また、図３に示すごとく、ケース部１１ａにおいて、開口部１１ｅと反対側の壁面１１ｎには凸部１１ｖが形設され、可動部材１２のカバー部材１２ｂには凹部１２ｖが形設され、凸部１１ｖと凹部１２ｖの間に弾性部材１３が挟装される。この弾性部材１３によって可動部材１２の一端が開口部１１ｅから突出するように付勢される。本実施例では、コイルバネにて弾性部材１３を構成しているが、このほか、ゴムなどであってもよい。なお、図３（ａ）に示すごとく、可動部材１２の凸部１２ｆ・１２ｆが横溝部１１ｆ・１１ｆに挿入されることで可動部材１２の移動範囲が制限されるため、可動部材１２はベース部材１１から脱落しない。
【００６６】
また、図３（ａ）に示すごとく、引込戸３が開かれてスライド移動した際には、ポップアップ用部品１０の可動部材１２が、被押圧部材２０のガイドピン２２に接触することによって、引込戸３のスライド移動が規制される。また、ガイドピン２２は、可動部材１２の磁石部材１２ａが磁着し得る鉄などの素材にて構成されており、これにより、ガイドピン２２と可動部材１２の接触した状態が維持され、図３（ａ）の状態においては、引込戸３がポップアップ用部品１０（磁石部材１２ａ）を介して被押圧部材２０（ガイドピン２２）に一時的に固着されるようになっている。
【００６７】
また、図３（ａ）に示すごとく、本実施例のように、磁石部材１２ａを可動部材１２内に納めることによって、被押圧部材２０に対する可動部材１２の一時的な固着を可能とする一時固着手段を構成するほか、ガイドピン２２側に磁石部材を設ける、ガイドピン２２側と可動部材１２の両方に磁石部材を設ける、などの形態も考えられる。このほかにも、ガイドピン２２に押圧された際に挟み込みが解除されるラッチ機構をポップアップ用部品１０側に設ける構成なども考えられる。
【００６８】
また、図３（ａ）に示すごとく、ポップアップ用部品１０が被押圧部材２０に一時的に固着されることで、引込戸３が開かれた状態を維持することが可能となり、引込戸３が意図せずに閉まってしまうことを防ぐことができる。特に、本実施例のように、引込戸３がスライド移動可能に吊り下げられた構成とする場合には、鴨居５（図１参照）に傾きが生じた際に、自重によって引込戸３が意図せずにスライド移動することが考えられるため、一時固着手段を設けることは有効なものとなる。
【００６９】
そして、図３（ａ）の状態から、図３（ｂ）に示すごとく引込戸３が押し込まれるポップアップ操作が行われると、可動部材１２がガイドピン２２に押し返されて弾性復帰力Ｆが発生し、ポップアップ用部品１０が押し返されて、引込戸３が開き側へと押し出されようにして、ポップアップ動作をすることとなる。
【００７０】
また、図３（ａ）に示すごとく、ポップアップ用部品１０を交換するメンテナンスの必要が生じた際には、キャップ部材７を取り外すことで、その交換を容易に行うことが可能となる。
【００７１】
以上のようにして、本発明を実施することが可能となる。
即ち、図１に示すごとく、
戸袋２内に引き入れられる引込戸３に設けられるポップアップ用部品１０と、
引込戸３以外のものに固定される被押圧部材２０と、を有し、
引込戸３が戸袋２内に引き入れられた開状態において、
ポップアップ用部品１０が被押圧部材２０に接触し得る構成とするとともに、
開状態において引込戸３を戸袋２内にさらに押し込む操作がなされた際に、
ポップアップ用部品１０が被押圧部材２０に押し返されることで、引込戸３が戸袋２内から押し出される構成とするものであって、
ポップアップ用部品１０は、引込戸３が戸袋２から引き出された状態にあるときに、戸袋２の外の位置にあるように配置される、
引込戸のポップアップ機構、とするものである。
【００７２】
これにより、戸袋２の外において、ポップアップ用部品１０の取り外しや、取り付けの作業が可能となり、メンテナンス性に優れたポップアップ機構を実現することが可能となる。また、ポップアップ用部品１０を汎用品として利用することができ、ポップアップ機構を実現する際における製造コストの低減も図ることが可能となる。
【００７３】
また、図３（ａ）（ｂ）に示すごとく、
被押圧部材２０は、
引込戸３の被ガイド部としてのガイド溝３ｇをガイドする機能を兼ね備える、
こととするものである。
【００７４】
これにより、ポップアップ機構の実現において、部品点数を削減することが可能となる。
なお、図３（ａ）（ｂ）に示される上述の実施例のように、ガイド溝３ｇにガイドピン２２を挿入する形態とする他、例えば、引込戸３の側面に溝を形成する被ガイド部を形設し、この被ガイド部にピンを挿入してガイドする形態なども考えられる。
【００７５】
また、図１に示すごとく、
被押圧部材２０は、床面６側に設置され、
ポップアップ用部品１０は、引込戸３の下部に設置される、
こととするものである。
【００７６】
この形態では、引込戸３を吊り下げてスライド移動可能とする設置形態について、本発明を適用することが可能となる。
【００７７】
また、図３（ａ）（ｂ）に示すごとく、
引込戸３の被ガイド部は、
引込戸３の底部において引込戸３の幅方向に形成され、その下側が開放されるガイド溝３ｇとして構成され、
ポップアップ用部品１０は、ガイド溝３ｇ内に納められ、
被押圧部材２０は、ガイド溝３ｇに下側から挿入されるガイドピン２２を有する、
こととするものである。
【００７８】
これにより、ポップアップ用部品１０が引込戸３内に隠されて、ポップアップ用部品１０が目立つことによって引込戸３の外観意匠の美観が損なわれることを回避できる。
【００７９】
また、図１に示す形態の他、
被押圧部材は、天井側に設置され、
ポップアップ用部品は、引込戸の上部に設置される、
こととしてもよい。
【００８０】
この形態では、引込戸の下部に戸車を設けてスライド移動可能とする設置形態について、本発明を適用することが可能となる。
【００８１】
また、この設置形態では、
引込戸の被ガイド部は、
引込戸の上部において引込戸の幅方向に形成され、その上側が開放されるガイド溝として構成され、
ポップアップ用部品１０は、ガイド溝内に納められ、
被押圧部材は、ガイド溝に上側から挿入されるガイドピンを有する、
こととするものである。
【００８２】
これにより、ポップアップ用部品が引込戸内に隠されて、ポップアップ用部品が目立つことによって引込戸の外観意匠の美観が損なわれることを回避できる。
【００８３】
また、図１に示すごとく、
ポップアップ用部品１０は、引込戸３の前端部３ａに設けられ、
引込戸３の前側端面３ｊ側から着脱可能な位置に設けられる、
こととするものである。
【００８４】
これにより、ガイド溝３ｇにポップアップ用部品１０が納められる形態において、ポップアップ用部品１０の交換が容易に行うことが可能となる。
なお、例えば、図６に示すごとく、ポップアップ用部品１０Ａを前端部３ａに設けずに、引込戸３の幅方向の中間部３Ｍに設け、これに対応して、被押圧部材２０Ａを戸袋の奥行方向の中間部２Ｍに設けることなども考えられる。即ち、引込戸３が引き出された際において戸袋の外にポップアップ用部品１０Ａが配置されるのであれば、戸袋を形成する壁体（袖壁４・４）の取り外しなどの大掛かりな作業を必要とせずに、ポップアップ用部品１０Ａの交換などは可能なものとなり、ポップアップ用部品１０Ａのメンテナンス性を考慮した構成とすることができる。
【００８５】
また、図３（ａ）（ｂ）及び図５（ａ）（ｂ）に示すごとく、
ポップアップ用部品１０は、
引込戸３に固定されるベース部材１１と、
ベース部材１１に対し移動可能に設けられる可動部材１２と、
可動部材１２を一側移動方向に付勢する弾性部材１３と、
被押圧部材２０に対する可動部材１２の一時的な固着を可能とする一時固着手段（磁石部材１２ａ）と、
を有する構成とするものである。
【００８６】
これにより、引込戸３が開かれた状態を維持することが可能となり、引込戸３が意図せずに閉まってしまうことを防ぐことができる。
【００８７】
また、図３（ａ）（ｂ）及び図５（ａ）（ｂ）に示す形態のポップアップ用部品１０では、
引込戸３に固定されるベース部材１１と、
ベース部材１１に対し移動可能に設けられる可動部材１２と、
可動部材１２を一側移動方向に付勢する弾性部材１３と、
を有し、
ベース部材１１は、引込戸３が戸袋２から引き出された状態にあるときに、戸袋２の外の位置にあるように配置され得るように構成される、
引込戸用のポップアップ用部品１０とするものである。
【００８８】
これにより、引込戸３に対して汎用性の広いポップアップ用部品１０を実現することが可能となる。
【００８９】
また、ポップアップ操作がされる際に、可動部材１２を押し返すための被押圧部材２０に対する一時的な固着を可能とする一時固着手段（磁石部材１２ａ）を、さらに有する、ポップアップ用部品１０とするものである。
【００９０】
これにより、引込戸３が開かれた状態を維持することが可能となり、引込戸３が意図せずに閉まってしまうことを防ぐことができる。
【００９１】
また、図２に示すごとく、引込戸３は、その全体が戸袋２内に引き入れられた状態で納まり得るものであり、引込戸３の全体が戸袋２内に引き入れられた状態において、ポップアップ用部品１０が被押圧部材２０に接触するものであり、ポップアップ用部品１０が被押圧部材２０に接触した状態において、引込戸３のさらなる押し込みを許容するための隙間Ｓが、引込戸３の奥側に形成される、こととするものである。
【００９２】
これにより、引込戸３を戸袋２内に完全に納めることが可能となって、広い開口部を形成することが可能となる。
【実施例２】
【００９３】
さらに、以上の構成とするほか、図７の水平断面図に示すごとく、
戸袋２側にポップアップ用部品１０Ｂを設ける形態も考えられる。
即ち、戸袋に引き入れられる引込戸３以外のもの（戸袋２を形成する壁体（袖壁４・４）の戸袋開口部２ａ）に固定されるポップアップ用部品１０Ｂと、
前記引込戸３に設けられる被押圧部材２０Ｂと、を有し、
引込戸３が戸袋２内に引き入れられた開状態において、
ポップアップ用部品１０Ｂが被押圧部材２０Ｂに接触し得る構成とするとともに、
開状態において引込戸３を戸袋２内にさらに押し込む操作がなされた際に、
被押圧部材２０Ｂがポップアップ用部品１０Ｂに押し返されることで、引込戸３が戸袋２内から押し出される構成とする、
引込戸のポップアップ機構、とするものである。
【００９４】
このように、実施例１におけるポップアップ用部品と被押圧部材を逆にした構成、つまり、戸袋２側にポップアップ用部品１０Ｂを設け、引込戸３側に被押圧部材２０Ｂを設ける構成とする場合においても、ポップアップ用部品１０Ｂを交換が行いやすい戸袋開口部２ａなどに配置することによれば、戸袋２を形成する壁体（袖壁４・４）の取り外しなどの大掛かりな作業を必要とせずに、ポップアップ用部品１０Ｂの交換などが可能となって、メンテナンス性を確保することができる。
【００９５】
なお、図７の構成において、ポップアップ用部品１０Ｂは、可動部材１２Ｂが戸袋開口部２ａに突出するように図示せぬ弾性部材にて付勢されるとともに、被押圧部材２０Ｂについては、引込戸３の下面から横方向に接触片２２Ｂを延出することで、ポップアップ機構が実現されるものである。
【００９６】
さらに、以上に述べたものの他の構成も考えられる。
例えば、図１（ａ）における引込戸３にポップアップ用部品１０が設けられる場合では、被押圧部材２０が固定される箇所について、「引込戸３以外のもの」として、戸袋２内における床面６としたが、このほか、鴨居５、戸袋２、などであってもよい。また、戸袋２の外に被押圧部材２０が配置されるものであってもよい。
【００９７】
また、例えば、図７における引込戸３に被押圧部材２０Ｂが設けられる場合では、ポップアップ用部品１０Ｂが固定される箇所について、「引込戸３以外のもの」として、壁体（袖壁４・４）の戸袋開口部２ａとしたが、このほか、図１（ａ）に示される床（床面６）、鴨居５、などであってもよい。また、戸袋２の外にポップアップ用部品１０Ｂが配置されるものであってもよい。
【００９８】
この点に関し、例えば、図８に示すごとく、床面６（又は鴨居側（天井側））にポップアップ用部品１０Ｃを設置するとともに、このポップアップ用部品１０Ｃのケース部１１Ｃａを引込戸３Ｃのガイド溝３Ｃｇに挿入して、このケース部１１Ｃａにて引込戸３Ｃの被ガイド部としてのガイド溝３Ｃｇをガイドするとともに、このガイド溝３Ｃｇに被押圧部材２０Ｃを設置して、この被押圧部材２０Ｃに対して可動部材１２Ｃを当接させる形態なども採用することができる。もちろん、図８において天地を逆にした構成、つまりは、鴨居側（天井側）にポップアップ用部品１０Ｃを設置することも考えられる。
【産業上の利用可能性】
【００９９】
本発明のポップアップ機構は、引込戸を吊り下げる形態、或いは、引込戸に戸車を設ける形態のいずれにも適用可能である。また、ポップアップ用部品は汎用性があり、広く利用することが可能であって、既設の引込戸についても後付けで適用することも可能である。
【符号の説明】
【０１００】
１    ポップアップ機構
２    戸袋
３    引込戸
３ｇ  ガイド溝
４    袖壁
１０    ポップアップ用部品
１１    ベース部材
１２    可動部材
１３    弾性部材
２０    被押圧部材
２２    ガイドピン
【図１】
0005610616.tif 000002
【図２】
0005610616.tif 000003
【図３】
0005610616.tif 000004
【図４】
0005610616.tif 000005
【図５】
0005610616.tif 000006
【図６】
0005610616.tif 000007
【図７】
0005610616.tif 000008
【図８】
0005610616.tif 000009
【図９】
0005610616.tif 000010